(57)【要約】【課題】セトリングを抑制できるログハウス用木材を供すること。【解決手段】それぞれ一方向に並行するよう配置される一対の外側木材１と、その繊維方向が前記一対の外側木材の繊維方向と交差する少なくとも１つの内側木材３を含み、前記一対の外側木材１の間に配置されてそれら外側木材１と接合される内側構造と、を有するログハウス用木材Ｗにおいて、当該ログハウス用木材Ｗを他のログハウス用木材の上に積むための下側嵌合部Ｗｂが前記内側木材３の前記繊維方向の一方側に設けられ、当該ログハウス用木材Ｗの上に他のログハウス用木材に積むための上側嵌合部Ｗｔが前記内側木材３の前記繊維方向の他方側に設けられる。【選択図】図１
2020019215.tif 000002
【特許請求の範囲】
【請求項１】
それぞれ一方向に並行するよう配置される一対の外側木材と、
その繊維方向が前記一対の外側木材の繊維方向と交差する少なくとも１つの内側木材を含み、前記一対の外側木材の間に配置されてそれら外側木材と接合される内側構造と、
を有するログハウス用木材であって、
当該ログハウス用木材を他のログハウス用木材の上に積むための下側嵌合部が前記内側木材の前記繊維方向の一方側に設けられ、当該ログハウス用木材の上に他のログハウス用木材に積むための上側嵌合部が前記内側木材の前記繊維方向の他方側に設けられる、
ログハウス用木材。
【請求項２】
請求項１に記載のログハウス用木材において、
前記少なくとも１つの内側木材は複数の内側木材を含み、
前記複数の内側木材は前記一対の外側木材の延伸方向に並ぶよう配置される、ログハウス用木材。
【請求項３】
請求項２に記載のログハウス用木材において、
前記内側木材の各々は離間して配置され、隣り合う前記内側木材の間には断熱材が配置される、ログハウス用木材。
【請求項４】
請求項１乃至３のいずれかに記載のログハウス用木材において、
前記一対の外側木材は、前記内側構造の一方側において前記内側木材の前記繊維方向に並ぶ複数の木材と、前記内側構造の他方側において前記内側木材の前記繊維方向に並ぶ複数の木材と、を有する、ログハウス用木材。
【請求項５】
請求項１乃至４のいずれかに記載のログハウス用木材において、
前記内側構造は、その繊維方向が前記少なくとも１つの内側木材の繊維方向と交差するように配置される少なくとも１つの木材を含む、ログハウス用木材。
【請求項６】
請求項１乃至５のいずれかに記載のログハウス用木材において、
前記内側構造は、一方の前記外側木材側に寄せて配置される前記内側木材と、他方の前記外側木材側に寄せて配置される前記内側木材と、を有する、ログハウス用木材。
【発明の詳細な説明】
【技術分野】
【０００１】
本発明は、ログハウス用木材に関する。
【背景技術】
【０００２】
近年、ログハウス用木材として、丸太を中心から切り分けて、それらを背中合わせに接着したラミネート材が用いられている。こうしたラミネート材は、木材の周辺部分を内側に閉じ込め、心部分を外側に露呈させることによって、傷つきにくくひび割れやねじれも起こらないという利点を有しているため、現在、ログハウスの壁部材として主流になってきている。
【発明の概要】
【発明が解決しようとする課題】
【０００３】
しかし、従来のラミネート材はセトリングと呼ばれる収縮が起こることが知られている。セトリングとは、木材の重みや乾燥収縮により各段のログが縮むログハウス特有の現象である。セトリングが起こると、ログハウスの壁を構成する各段のログハウス用木材が沈下を起こし、ログハウスの壁の高さが低くなる。
【０００４】
図９は、木材の直交３軸を示している。図示されているように、木の成長する方向５１は繊維（長さ）方向と呼ばれ、年輪の内側から外側へ向かう方向５３は半径（放射）方向と呼ばれ、かつ、繊維方向とも半径方向とも垂直な方向５２は接線方向と呼ばれる。木材は方向によって収縮率が異なり、接線方向５１、半径方向５３、及び繊維方向５２における収縮率の比は１０：５：０．２〜０．３であることが知られている。
【０００５】
図１０は、従来のラミネート材の一例を示す端面図である。同図に示されたラミネート材は、繊維方向が一致するようにして互いに接合された木材４１，４１，４２，４２を有している。ラミネート材はログハウスにおいて横置して用いられ、設置状態において繊維方向は略水平となるので、木材４１，４１，４２，４２は、繊維方向５１とは垂直な方向、すなわち収縮率の大きな半径方向５３や接線方向５２に積み上がることになる。そのため従来のログハウス用木材は、積み上げ方向に収縮し易く、その結果、従来のログハウス用木材を用いたログハウスではセトリングが生じやすい。
【０００６】
ログハウス用木材が収縮してもドア、窓、階段などは変化が起きないため、建築時にセトリングを吸収するスペースを空けておく必要がある。メンテナンス時にはセトリング量に応じた調整を施し、状態を修正することになる。ログハウスの住み手は、このようなセトリングに常に注意を払った上で適切な処置を施さなければならないが、このような保守及び管理は住み手にとって大きな負担である。
【０００７】
本発明は上記課題に鑑みてなされたものであって、その目的は、セトリングを抑制できるログハウス用木材を供することである。
【課題を解決するための手段】
【０００８】
本発明に係るログハウス用木材は、それぞれ一方向に並行するよう配置される一対の外側木材と、その繊維方向が前記一対の外側木材の繊維方向と交差する少なくとも１つの内側木材を含み、前記一対の外側木材の間に配置されてそれら外側木材と接合される内側構造と、を有するログハウス用木材であって、当該ログハウス用木材を他のログハウス用木材の上に積むための下側嵌合部が前記内側木材の前記繊維方向の一方側に設けられ、当該ログハウス用木材の上に他のログハウス用木材に積むための上側嵌合部が前記内側木材の前記繊維方向の他方側に設けられる。
【発明の効果】
【０００９】
本発明によれば、内側木材の繊維方向にログハウス用木材が積み上げられるので、セトリングが抑制される。また、内側木材を含む内側構造は一対の外側木材の間に配置され、外側木材は設置状態において水平方向に延伸するので、ログハウス用木材として外観を損なわない。
【図面の簡単な説明】
【００１０】
【図１】本発明の第１実施形態に係るログハウス用木材の端面を示す図である。
【図２】本発明の第１実施形態に係るログハウス用木材を積み上げた状態の正面図である。
【図３】本発明の第１実施形態に係るログハウス用木材の上面図である。
【図４】本発明の第２実施形態に係るログハウス用木材の端面を示す図である。
【図５】本発明の第２実施形態に係るログハウス用木材の上面図である。
【図６】本発明の第３実施形態に係るログハウス用木材の端面を示す図である。
【図７】本発明の第４実施形態に係るログハウス用木材の斜視図である。
【図８】本発明の第５実施形態に係るログハウス用木材の上面図である。
【図９】木材の直交３軸を示している。
【図１０】従来技術に係るログハウス用木材の端面を示す図である。
【発明を実施するための形態】
【００１１】
以下、本発明の実施形態について図面に基づき詳細に説明する。なお、以下に示す本発明の複数の実施形態において、同一の部材や構造が用いられる場合には、それらに同一符号を付して説明を省略する場合がある。
【００１２】
図１は、第１本発明の実施形態に係るログハウス用木材（ログ材）Ｗの端面を示す図である。図２は、上下方向に積み上げられた複数のログハウス用木材Ｗ（ここでは簡単のため５段）を示している。図２に示されるように複数のログハウス用木材Ｗが積み上げられて、ログハウスの内壁や外壁が構成される。なお、同図においては直交配置される壁との係合部分であるノッチは省略されている。また、図３は、ログハウス用木材Ｗの上面図を示している。
【００１３】
ログハウス用木材Ｗは、一対の上部外側木材１と、一対の下部外側木材２と、内側木材３と、を含んでいる。上部外側木材１と下部外側木材２は長尺の木材で、設置状態において水平に配置され、繊維方向はそれら木材の延伸方向と一致する。一方、図３に示すように、ログハウス用木材には上部外側木材１や下部外側木材に比較して短尺の複数の内側木材３が用いられている。これら内側木材３の繊維方向は、上部外側木材１や下部外側木材の繊維方向と交差しており、好ましくは、それら方向は直交する。
【００１４】
内側木材３は、上部外側部材１や下部外側部材２の延伸方向に並んでおり、それにより本発明の実施形態に係る内側構造Ｉをなしている。そして、いずれの内側木材３も、上側部分が上部外側部材１によって挟まれるとともに、下側部分が下部外側部材２に挟まれている。ここで、上部外側木材１と下部外側木材２との間、上部外側木材１と内側木材３との間、下部外側木材２と内側木材３との間、内側木材３同士は、いずれもたとえば接着剤のような接合手段によって接合される。
【００１５】
図２に示されているように、上部外側木材１及び下部外側木材２は繊維方向に延伸するよう原料となる丸太から切り出されたものである。なお、図示されたログハウス用木材Ｗは、上下方向（積み上げ方向）に、上部外側木材１及び下部外側木材２の２つの木材を並べて配置しているが、それ以上の木材を並べて配置してもよいし、１つの木材のみを配置してもよい。内側木材３も繊維方向に延伸するよう原料となる丸太から切り出されたものであるが、長さが上部外側木材１及び下部外側木材２の高さの和に略一致するよう切断されている。
【００１６】
一対の上部外側木材１は内側木材３に対して対称に配置され、同様に一対の下部外側木材２も内側木材３に対して対称に配置される。ログハウス用木材Ｗの上部には、他のログハウス用木材Ｗを上に積むための上側嵌合部Ｗｔが形成され、下部には、当該ログハウス用木材を他のログハウス用木材の上に積むための下側嵌合部Ｗｂが形成される。具体的には、上部外側木材１の上端に内側木材３よりも突出する凸部１ａを設けることで、上側嵌合部Ｗｔとしている。また、下部外側木材２の下端に他のログハウス用木材Ｗの凸部１ａが嵌入する凹部２ａを設けることで、下側嵌合部Ｗｂとしている。複数のログハウス用木材Ｗを積み上げる場合には、下段のログハウス用木材Ｗの上側嵌合部Ｗｔに上段のログハウス用木材Ｗの下側嵌合部Ｗｂが嵌合する。これにより、上下段のログハウス用木材Ｗは壁厚方向にずれることがない。なお、凹部２ａの奥部に形成された角溝にはシール部材が配置され、これにより気密性及び断熱性が高められる。
【００１７】
また、上下段のログハウス用木材Ｗが嵌合した状態では、下段のログハウス用木材Ｗの内側木材３の上端面と、上段のログハウス用木材Ｗの内側木材３の下端面とが当接する。繊維方向での木材の収縮率は、半径方向及び接線方向での木材の収縮率よりも顕著に小さい。本実施形態に係るログハウス用木材Ｗは内側構造Ｉとして内側木材３を有し、該内側木材３の繊維は当該ログハウス用木材Ｗを積み上げ方向を向いている。それにより、積み上げ方向において内側木材３の収縮率が顕著に小さいことから、ログハウス用木材Ｗのセトリングが好適に抑制される。
【００１８】
特に、本実施形態によれば、上下段のログハウス用木材Ｗが嵌合した状態では、下段のログハウス用木材Ｗの内側木材３の上端面と、上段のログハウス用木材Ｗの内側木材３の下端面とが当接するので、上下段のログハウス用木材Ｗｎｏ内側木材３がいわば支柱となって、セトリングをより効果的に抑制できる。また、ログハウス用木材Ｗの表面側及び裏面側には、設置時において繊維方向が水平となる上部外側木材１及び下部外側木材２が配置されるので、ログハウスの壁の内側からも外側からも、略水平方向の繊維をもった木材が見えることになり、内側構造Ｉの存在にも拘わらず、ログハウスの壁部材として良好な外観とできる。
【００１９】
図４は、本発明の第２実施形態に係るログハウス用木材Ｗ２の端面を示している。また、図５は、第２実施形態に係るログハウス用木材Ｗ２の上面図である。ログハウス用木材Ｗ２は、内側構造Ｉ２を除けば第１実施形態に係るログハウス用木材Ｗと同様である。
【００２０】
内側構造Ｉ２は、壁厚方向に３層の木材を有し、上下方向に積み重ねられた横方向木材１４，１４が、壁厚方向に離間して配置された一対の内側木材３に挟まれた構造を有している。各木材はたとえば接着剤のような接合手段によって接合される。横方向木材１４は外側木材１と同様に長尺であり、設置状態において水平方向に伸び、また繊維は延伸方向に伸びている。
【００２１】
一方、内側木材３は短尺の木材であり、繊維方向は設置状態において上下方向となっている。図５に示されるように内側木材３は壁厚方向に離間して２列をなしており、各列の内側木材３は外側木材１の延伸方向に沿って並んでおり、同方向にも接着剤などの接合手段により接合されている。
【００２２】
本実施形態においても、ログハウス用木材Ｗ２を上下に積んで、下段のログハウス用木材Ｗ２の上側嵌合部Ｗｔと上段のログハウス用木材Ｗ２の下側嵌合部Ｗｂとが嵌合した状態では、下段のログハウス用木材Ｗ２の各列の内側木材３の上端面と、上段のログハウス用木材Ｗ２における対応する列の内側木材３の下端面とが当接する。ログハウス用木材Ｗ２は、壁厚方向に５層構造を有しており、強度を高めることができる。また、内側木材３を２列とすることができるので、セトリングをさらに効果的に抑制することができる。なお、ここでは内側構造Ｉ２は壁厚方向に３層をなすが、それ以上の数の層をなしてもよい。
【００２３】
図６は、本発明の第３実施形態に係るログハウス用木材Ｗ３が積み上げられた状態の端面を示している。同図に示すように、ログハウス用木材Ｗ３は、一対の上部外側木材２１と、一対の下部外側木材２２と、内側構造Ｉ３と、を含んでいる。
【００２４】
上部外側木材２１と下部外側木材２２は長尺の木材で、設置状態において水平に配置され、繊維方向はそれら木材の延伸方向と一致する。内側構造Ｉ３は、上側部分が上部外側部材１によって挟まれるとともに、下側部分が下部外側部材２に挟まれている。ここで、上部外側木材２１と下部外側木材２２との間、上部外側木材２１と内側構造Ｉ３との間、下部外側木材２２と内側構造Ｉ３との間は、いずれもたとえば接着剤のような接合手段によって接合される。
【００２５】
内側構造Ｉ３は、ログハウス用木材Ｗ２と同様、壁厚方向に３層の木材を有し、上下方向に積み重ねられた横方向木材２４，２４が、壁厚方向に離間して配置された一対の内側木材２３に挟まれた構造を有している。各木材はたとえば接着剤のような接合手段によって接合される。横方向木材２４は外側木材２１と同様に長尺であり、設置状態において水平方向に伸び、また繊維は延伸方向に伸びている。一方、内側木材２３は短尺の木材であり、繊維方向は設置状態において上下方向となっている。ログハウス用木材Ｗ２と同様、内側木材２３は壁厚方向に離間して２列をなしており、各列の内側木材２３は外側木材２１の延伸方向に沿って並んでいる。
【００２６】
ログハウス用木材Ｗ３はログハウス用木材Ｗ２と比して、壁厚に対する内側木材２３の厚さの割合が大きい。これにより、セトリングをさらに効果的に抑制できる。また、このように内側木材２３の厚さを相対的に大きくしたので、上段のログハウス用木材Ｗ３との嵌合に用いられる上側嵌合部Ｗｔは、ログハウス用木材Ｗ３の上端において、外側木材２１と内側木材２３との境界部分に凸部２６を設けることで形成される。同様に、下段のログハウス用木材Ｗ３との嵌合に用いられる下側嵌合部Ｗｂは、ログハウス用木材Ｗ３の下端において、外側木材２１と内側木材２３との境界部分に凹部２５を設けることで形成される。
【００２７】
第３実施形態においても、上下段のログハウス用木材Ｗ３が嵌合した状態では、下段のログハウス用木材Ｗ３の内側木材２３の上端面の一部と、上段のログハウス用木材Ｗ３の内側木材２３の下端面の一部とが当接する。これにより、セトリングが効果的に抑制される。
【００２８】
上記第１乃至第３実施形態では、従来同様の外形状をもったログ材、すなわち角材状のログ材として本発明を実施する例を示した。しかし、本発明の適用範囲はそのような外形状のログハウス用木材に限定されず、縦横比は自在であり、例えば板状に形成してもよい。図７は、本発明の第４実施形態に係るログハウス用木材Ｗ４の斜視図を示している。ログハウス用木材Ｗ４は単体で板状の外形を有するものであり、横幅と同様の高さを有しているが、外側木材を一例として５対としたことを除いて、第１実施形態に係るログハウス用木材Ｗと同様の構成を有している。
【００２９】
具体的には、上部外側木材１と下部外側木材２との間に、複数（ここでは３つ）の中間外側木材３０を配置するとともに、それに応じて内側木材３を長尺化している。すなわち、各内側木材３を外側木材５段分の長さに延長している。これにより、板状の外形状のログハウス用木材Ｗ４を実現できる。ログハウス用木材Ｗ４を板状にすることで、ログハウス施工時に積み上げるログハウス用木材Ｗ４の数は少なくなり、工期短縮につながる。
【００３０】
なお、ここでは上部外側木材１、下部外側木材２、中間外側木材３０の延伸方向に一列に並ぶ内側木材３を内側構造Ｉとしたが、第２実施形態や第３実施形態と同様にして、壁厚方向に３層以上をなすようにしてもよいのは勿論である。また、このような板状のログハウス用木材は、繊維方向が縦横に交差するようにして木材を積層したＣＬＴ（Cross Laminated Timber）などの既存の木製パネルを加工して製造してもよい。
【００３１】
図８は、本発明の第５実施形態に係るログハウス用木材Ｗ５の上面図である。同図に示すログハウス用木材Ｗ５は、第１実施形態に係るログハウス用木材Ｗに比して、内側構造Ｉ５の一部に断熱材を配置した点が異なる。具体的には、一部の内側木材３の位置に断熱材を配置した。すなわち、同図に示すように、内側木材３を離間して配置して、その間に断熱材４０を配置する。断熱材４０としては、グラスウールや難燃性の樹脂製断熱材など、様々なものを採用してよい。こうすれば、断熱性に優れたログハウス用木材Ｗ５とすることができる。なお、第２実施形態乃至第４実施形態においても、内側構造の一部に断熱材を配置してよい。
【符号の説明】
【００３２】
Ｗ，Ｗ２，Ｗ３，Ｗ４，Ｗ５  ログハウス用木材、Ｗｔ  上側嵌合部、Ｗｂ  下側嵌合部、Ｉ，Ｉ２，Ｉ３，Ｉ５  内側構造、１，２１  上部外側木材、２，２２  下部外側木材、３，２３  内側木材、１４，２４  横方向木材、３０  中間外側木材、４０  断熱材。
【図１】
2020019215.tif 000003
【図２】
2020019215.tif 000004
【図３】
2020019215.tif 000005
【図４】
2020019215.tif 000006
【図５】
2020019215.tif 000007
【図６】
2020019215.tif 000008
【図７】
2020019215.tif 000009
【図８】
2020019215.tif 000010
【図９】
2020019215.tif 000011
【図１０】
2020019215.tif 000012